(57)【要約】【課題】  載置状態検出手段が異常な状態での使用を回避し得るコンロを提供する。【解決手段】  バーナ１ａ，１ｃにて加熱する被加熱物を載置する載置部に被加熱物が載置されている被加熱物載置状態と載置部に被加熱物が載置されていない被加熱物非載置状態とを検出する載置状態検出手段Ｄが設けられたコンロであって、  載置状態検出手段Ｄにより被加熱物載置状態が継続して検出されている載置状態継続時間が載置状態継続異常判別用設定時間に達すると異常対策処理を実行する制御手段Ｈが設けられている。【選択図】        図２
2006097976.tif 000002
【特許請求の範囲】
【請求項１】
バーナにて加熱する被加熱物を載置する載置部に被加熱物が載置されている被加熱物載置状態と前記載置部に被加熱物が載置されていない被加熱物非載置状態とを検出する載置状態検出手段が設けられたコンロであって、
前記載置状態検出手段により前記被加熱物載置状態が継続して検出されている載置状態継続時間が載置状態継続異常判別用設定時間に達すると異常対策処理を実行する制御手段が設けられているコンロ。
【請求項２】
前記制御手段は、前記異常対策処理として、
前記載置状態継続時間が前記載置状態継続異常判別用設定時間に達すると、報知手段にて前記載置部から被加熱物を上げることを促す案内情報を報知させて、その案内情報報知後の経過時間が再判別用設定時間に達するまでに前記載置状態検出手段が前記被加熱物非載置状態を検出すると正常であると判別し且つ前記経過時間が前記再判別用設定時間に達しても前記載置状態検出手段が前記被加熱物載置状態を検出する状態が継続している場合は異常であると判別する異常判別処理を実行するように構成されている請求項１記載のコンロ。
【請求項３】
前記制御手段は、前記異常対策処理としての前記異常判別処理を、前記載置状態継続時間が前記載置状態継続異常判別用設定時間に達し、且つ、点消火指令手段により前記バーナの点火指令が指令されたときに実行するように構成されている請求項２記載のコンロ。
【請求項４】
前記制御手段は、前記異常判別処理にて正常であると判別すると、前記報知手段に前記載置状態検出手段が正常であることを示す情報を報知させ、前記異常判別処理にて異常であると判別すると、再異常対策処理を実行するように構成されている請求項２又は３記載のコンロ。
【請求項５】
前記制御手段は、前記再異常対策処理として、前記点消火指令手段により前記バーナの点火指令が指令されても、前記バーナを消火状態に維持する消火状態維持処理を実行するように構成されている請求項４記載のコンロ。
【請求項６】
前記制御手段は、前記載置状態検出手段の検出情報に基づいて、前記被加熱物非載置状態ではバーナの燃焼を停止させる又は燃焼量を低下させる燃焼抑制処理を実行するように構成されている請求項１〜５のいずれか１項に記載のコンロ。
【請求項７】
前記制御手段は、電源スイッチがオンからオフに切り換えられたときに、前記載置状態検出手段が前記被加熱物載置状態を検出している場合には、前記制御手段にその作動用の電力を供給する電源手段からの電力供給を継続させ、且つ、前記載置状態検出手段が前記被加熱物非載置状態を検出している場合には、前記電源手段からの電力供給を停止させるように構成されている請求項１〜６のいずれか１項に記載のコンロ。
【請求項８】
前記載置状態検出手段が、
前記載置部に載置される被加熱物の底部が当接するのに伴って押し下げられて前記被加熱物載置状態を検出するための載置状態検出位置と、その載置状態検出位置よりも上方であって前記被加熱物非載置状態を検出するための非載置状態検出位置とにわたって上下動自在で、且つ、前記非載置状態検出位置に復帰付勢される上下可動部と、
その上下可動部が前記載置状態検出位置に位置する状態を検出することにより前記被加熱物載置状態を検出し、且つ、前記上下可動部が前記非載置状態検出位置に位置する状態を検出することにより前記被加熱物非載置状態を検出する検出部とを備えて構成されている請求項１〜７のいずれか１項に記載のコンロ。
【発明の詳細な説明】
【技術分野】
【０００１】
本発明は、バーナにて加熱する被加熱物を載置する載置部に被加熱物が載置されている被加熱物載置状態と前記載置部に被加熱物が載置されていない被加熱物非載置状態とを検出する載置状態検出手段が設けられたコンロに関する。
【背景技術】
【０００２】
かかるコンロは、載置部に被加熱物が載置されている被加熱物載置状態か載置部に被加熱物が載置されていない被加熱物非載置状態かを検出可能なようにしたものであり、被加熱物載置状態か被加熱物非載置状態かの検出情報は、例えば、バーナの作動の制御に用いられていた。
【０００３】
即ち、点消火指令手段によりバーナの点火指令が指令されたときに載置状態検出手段にて被加熱物非載置状態が検出されているとバーナの点火を禁止し、バーナの燃焼中に載置状態検出手段にて被加熱物非載置状態が検出されるとバーナの燃焼を停止させる又は燃焼量を低下させる形態で、載置状態検出手段の検出情報に基づいてバーナの作動を制御するように構成して、コンロを安全に使用可能なようにしていた（特許文献１参照。）。
【０００４】
ちなみに、前記特許文献１では、前記載置状態検出手段は、前記載置部に載置される被加熱物の底部が当接するのに伴って押し下げられて前記被加熱物載置状態を検出するための載置状態検出位置と、その載置状態検出位置よりも上方であって前記被加熱物非載置状態を検出するための非載置状態検出位置とにわたって上下動自在で、且つ、前記非載置状態検出位置に復帰付勢される上下可動部と、その上下可動部が前記載置状態検出位置に位置する状態を検出することにより前記被加熱物載置状態を検出し、且つ、前記上下可動部が前記非載置状態検出位置に位置する状態を検出することにより前記被加熱物非載置状態を検出する検出部とを備えて構成されていた。
【０００５】
又、前記特許文献１には記載されていないが、前記載置状態検出手段としては、載置部上の被加熱物の有無によって投射光が反射されるか否かにより被加熱物載置状態か被加熱物非載置状態かを検出するように構成された反射型の光センサ、あるいは、載置部上の被加熱物の有無により投射光が遮蔽されるか否かにより被加熱物載置状態か被加熱物非載置状態かを検出するように構成されたフォトインタラプタ型の光センサにて構成される場合もある。
【０００６】
【特許文献１】特開平８−３０３７８５号公報
【発明の開示】
【発明が解決しようとする課題】
【０００７】
ところで、前記載置状態検出手段が異常となる虞がある。例えば、載置状態検出手段が上述のように上下可動部と検出部とにより構成される場合、被加熱物としての鍋等からあふれた煮汁により上下可動部が前記載置状態検出位置に位置したままで固着してしまったり、検出部が故障して、載置部に被加熱物が載置されていないにも拘わらず載置状態検出手段により被加熱物載置状態と検出される異常（以下、被加熱物載置状態連続検出異常と略記する場合がある）が発生する場合がある。
あるいは、前記載置状態検出手段が前記反射型の光センサやフォトインタラプタ型の光センサにて構成される場合にも、被加熱物載置状態連続検出異常が発生する場合がある。例えば、フォトインタラプタ型の光センサの場合は、発光部又は受光部が鍋等からあふれた煮汁により曇ると、前述のような被加熱物載置状態連続検出異常が発生する場合がある。
【０００８】
しかしながら、従来のコンロでは、前記載置状態検出手段が異常となると、その載置状態検出手段が異常となったままでコンロが使用される虞があり、改善が望まれていた。
【０００９】
本発明は、かかる実情に鑑みてなされたものであり、その目的は、載置状態検出手段が異常な状態での使用を回避し得るコンロを提供することにある。
【課題を解決するための手段】
【００１０】
本発明のコンロは、バーナにて加熱する被加熱物を載置する載置部に被加熱物が載置されている被加熱物載置状態と前記載置部に被加熱物が載置されていない被加熱物非載置状態とを検出する載置状態検出手段が設けられたものであって、
第１特徴構成は、前記載置状態検出手段により前記被加熱物載置状態が継続して検出されている載置状態継続時間が載置状態継続異常判別用設定時間に達すると異常対策処理を実行する制御手段が設けられている点を特徴とする。
【００１１】
即ち、載置状態検出手段により被加熱物載置状態が継続して検出されている載置状態継続時間が載置状態継続異常判別用設定時間に達すると、制御手段は、異常対策処理を実行する。
【００１２】
つまり、前記載置状態継続異常判別用設定時間として、通常では載置部に被加熱物が連続して載置されることがないと考えられる時間に設定する。一般に２４時間で生活の周期が切り換わり、載置部に被加熱部が載置されなくなる状態が起こり得ると考えられるので、載置状態継続異常判別用設定時間を例えば９６時間程度に設定すると、載置状態継続異常判別用設定時間として、通常では載置部に被加熱物が連続して載置される状態がほとんど起こり得ないと考えられる時間に設定することが可能となる。
従って、前記載置状態継続異常判別用設定時間が経過する間には、少なくとも１回は使用者によって載置部から被加熱物が取り除かれると考えられるので、載置状態継続異常判別用設定時間にわたって載置状態検出手段が被加熱物載置状態を検出する状態が継続すると、被加熱物載置状態連続検出異常が発生している推定することが可能である。
【００１３】
そこで、前記載置状態継続時間が前記載置状態継続異常判別用設定時間に達すると、被加熱物載置状態連続検出異常が発生していると推定して、前記異常対策処理を自動的に実行させるようにするのである。
そして、前記異常対策処理として、例えば、バーナの燃焼を禁止したり、報知手段により異常であることを示す情報を報知させるように構成することにより、載置状態検出手段が異常な状態でのコンロの使用を回避することが可能となる。
【００１４】
第２特徴構成は、上記第１特徴構成に加えて、
前記制御手段は、前記異常対策処理として、
前記載置状態継続時間が前記載置状態継続異常判別用設定時間に達すると、報知手段にて前記載置部から被加熱物を上げることを促す案内情報を報知させて、その案内情報報知後の経過時間が再判別用設定時間に達するまでに前記載置状態検出手段が前記被加熱物非載置状態を検出すると正常であると判別し且つ前記経過時間が前記再判別用設定時間に達しても前記載置状態検出手段が前記被加熱物載置状態を検出する状態が継続している場合は異常であると判別する異常判別処理を実行するように構成されている点を特徴とする。
【００１５】
即ち、制御手段は、前記異常対策処理として、載置状態継続時間が載置状態継続異常判別用設定時間に達すると、報知手段にて載置部から被加熱物を上げることを促す案内情報を報知させて、その案内情報報知後の経過時間が再判別用設定時間に達するまでに載置状態検出手段が被加熱物非載置状態を検出すると正常であると判別し且つ前記経過時間が再判別用設定時間に達しても載置状態検出手段が被加熱物載置状態を検出する状態が継続している場合は異常であると判別する異常判別処理を実行する。
【００１６】
つまり、載置状態継続時間が載置状態継続異常判別用設定時間に達すると、報知手段により、載置部から被加熱物を上げることを促す案内情報を報知させるようにすることにより、使用者に載置部から被加熱物を上げさせるようにすることが可能となる。
そして、使用者が、報知手段による案内情報の報知に基づいて載置部から被加熱物を上げると、載置状態検出手段が正常であれば、載置状態検出手段により被加熱物非載置状態が検出されることになり、被加熱物載置状態連続検出異常が発生している状態であると、載置状態検出手段は被加熱物載置状態を検出したままである。
前記再判別用設定時間としては、使用者が報知手段による案内情報の報知を知って、載置部から被加熱物を上げるのが十分に可能な時間、例えば、５分間程度に設定する。
【００１７】
そして、前記案内情報報知後の経過時間が再判別用設定時間に達するまでに載置状態検出手段が被加熱物非載置状態を検出すると正常であると判別し、且つ、前記経過時間が再判別用設定時間に達しても載置状態検出手段が被加熱物載置状態を検出する状態が継続している場合は異常であると判別するようにすることにより、載置状態検出手段が正常であるにも拘わらず被加熱物が前記載置状態継続異常判別用設定時間にわたって載置部に載置されていたことが原因で、被加熱物載置状態連続検出異常が発生していると誤って判別することを回避して、前述のような被加熱物載置状態連続検出異常を的確に判別することが可能になるのである。
従って、載置状態検出手段が異常な状態でのコンロの使用をより的確に回避することが可能となる。
【００１８】
第３特徴構成は、上記第２特徴構成に加えて、
前記制御手段は、前記異常対策処理としての前記異常判別処理を、前記載置状態継続時間が前記載置状態継続異常判別用設定時間に達し、且つ、点消火指令手段により前記バーナの点火指令が指令されたときに実行するように構成されている点を特徴とする。
【００１９】
即ち、制御手段は、前記異常対策処理としての前記異常判別処理を、前記載置状態継続時間が前記載置状態継続異常判別用設定時間に達し、且つ、点消火指令手段により前記バーナの点火指令が指令されたときに実行する。
つまり、前記異常対策処理としての前記異常判別処理を、前記載置状態継続時間が前記載置状態継続異常判別用設定時間に達するだけの条件で実行させるのではなく、点消火指令手段によりバーナの点火指令が指令される条件も満足した状態で実行させることにより、報知手段による前記案内情報の報知を使用者に確実に知らしめることが可能となるので、前記異常判別処理を、被加熱物が載置部から上げられない状態で実行されるのを回避して、被加熱物が載置部から上げられた状態で的確に実行させるようにすることが可能となるのである。
従って、被加熱物載置状態連続検出異常をより的確に判別することが可能となるので、載置状態検出手段が異常な状態でのコンロの使用をより的確に回避することが可能となる。
【００２０】
第４特徴構成は、上記第２又は第３特徴構成に加えて、
前記制御手段は、前記異常判別処理にて正常であると判別すると、前記報知手段に前記載置状態検出手段が正常であることを示す情報を報知させ、前記異常判別処理にて異常であると判別すると、再異常対策処理を実行するように構成されている点を特徴とする。
【００２１】
即ち、制御手段は、前記異常判別処理にて正常であると判別すると、報知手段に載置状態検出手段が正常であることを示す情報を報知させ、前記異常判別処理にて異常であると判別すると、再異常対策処理を実行する。
つまり、載置状態検出手段が正常である場合は、報知手段により、載置状態検出手段が正常であることを示す情報が報知されるので、使用者は載置状態検出手段が正常であることを知って安心してコンロを使用することができ、一方、載置状態検出手段が異常である場合は、再異常対策処理が実行されるので、載置状態検出手段が異常な状態でのコンロの使用を回避することが可能となる。
【００２２】
第５特徴構成は、上記第４特徴構成に加えて、
前記制御手段は、前記再異常対策処理として、前記点消火指令手段により前記バーナの点火指令が指令されても、前記バーナを消火状態に維持する消火状態維持処理を実行するように構成されている点を特徴とする。
【００２３】
即ち、被加熱物載置状態連続検出異常が発生しているときは、点消火指令手段によりバーナの点火指令が指令されても、バーナを消火状態に維持する消火状態維持処理が実行される。
つまり、被加熱物載置状態連続検出異常が発生しているときは、点消火指令手段により点火指令を指令しても、バーナは点火されない。
従って、載置部に被加熱物が載置されていないにも拘わらずバーナが点火されるのを回避することができるので、安全性を一層向上することができるようになった。
【００２４】
第６特徴構成は、上記第１〜第５特徴構成のいずれかに加えて、
前記制御手段は、前記載置状態検出手段の検出情報に基づいて、前記被加熱物非載置状態ではバーナの燃焼を停止させる又は燃焼量を低下させる燃焼抑制処理を実行するように構成されている点を特徴とする。
【００２５】
即ち、制御手段は、載置状態検出手段の検出情報に基づいて、被加熱物非載置状態ではバーナの燃焼を停止させる又は燃焼量を低下させる燃焼抑制処理を実行する。
つまり、点消火指令手段によりバーナの点火指令が指令されたときに載置状態検出手段にて被加熱物非載置状態が検出されている場合には、前記燃焼抑制処理として、バーナの点火を禁止する、即ち、バーナの燃焼を停止させる処理を実行させ、バーナの燃焼中に載置状態検出手段にて被加熱物非載置状態が検出された場合には、前記燃焼抑制処理として、バーナの燃焼を停止させる又は燃焼量を低下させる処理を実行させるようにした安全機能は、上述したように公知である。
そして、そのような公知の安全機能に、更に、被加熱物載置状態連続検出異常が発生している推定すると前記異常対策処理を実行するという安全機能を追加することにより、安全性を更に向上することができるようになる。
【００２６】
第７特徴構成は、上記第１〜第６特徴構成のいずれかに加えて、
前記制御手段は、電源スイッチがオンからオフに切り換えられたときに、前記載置状態検出手段が前記被加熱物載置状態を検出している場合には、前記制御手段にその作動用の電力を供給する電源手段からの電力供給を継続させ、且つ、前記載置状態検出手段が前記被加熱物非載置状態を検出している場合には、前記電源手段からの電力供給を停止させるように構成されている点を特徴とする。
【００２７】
即ち、制御手段は、電源スイッチがオンからオフに切り換えられたときに、載置状態検出手段が被加熱物載置状態を検出している場合には、制御手段に電源手段からの電力供給を継続させ、且つ、載置状態検出手段が被加熱物非載置状態を検出している場合には、電源手段からの電力供給を停止させる。
つまり、電源スイッチがオンからオフに切り換えられたときに、載置状態検出手段が被加熱物載置状態を検出している場合には、電源スイッチのオフ中も、載置状態継続時間の計測を継続するために、電源手段からの電力供給を継続させ、一方、電源スイッチがオンからオフに切り換えられたときに、載置状態検出手段が被加熱物非載置状態を検出している場合には、載置状態継続時間の計測を継続する必要がないので、電源手段からの電力供給を停止させる。
従って、消費電力を低減によりエネルギーコストを低減することが可能なようにしながら、載置状態検出手段が異常な状態でのコンロの使用を回避することが可能なようにすることができるようになった。
【００２８】
第８特徴構成は、上記第１〜第７特徴構成のいずれかに加えて、
前記載置状態検出手段が、
前記載置部に載置される被加熱物の底部が当接するのに伴って押し下げられて前記被加熱物載置状態を検出するための載置状態検出位置と、その載置状態検出位置よりも上方であって前記被加熱物非載置状態を検出するための非載置状態検出位置とにわたって上下動自在で、且つ、前記非載置状態検出位置に復帰付勢される上下可動部と、
その上下可動部が前記載置状態検出位置に位置する状態を検出することにより前記被加熱物載置状態を検出し、且つ、前記上下可動部が前記非載置状態検出位置に位置する状態を検出することにより前記被加熱物非載置状態を検出する検出部とを備えて構成されている点を特徴とする。
【００２９】
即ち、載置部に被加熱物を載置すると、その被加熱物の底部が上下可動部に当接して、上下可動部が非載置状態検出位置から載置状態検出位置に押し下げられ、それに伴って、検出部により、上下可動部が載置状態検出位置に位置する状態が検出されることにより、前記被加熱物載置状態が検出される。
一方、被加熱物を載置部から上げると、上下可動部がその上方への復帰付勢力により載置状態検出位置から非載置状態検出位置に復帰し、それに伴って、検出部により、上下可動部が非載置状態検出位置に位置する状態が検出されることにより、前記被加熱物非載置状態が検出される。
つまり、被加熱物が載置部に載置されたり載置部から上げられたりすることにより、上下可動部を載置状態検出位置と非載置状態検出位置とにわたって上下動させて、検出部により、上下可動部が載置状態検出位置に位置する状態と非載置状態検出位置に位置する状態とを検出させることにより、被加熱物載置状態と被加熱物非載置状態とを検出させるようにすることにより、例えば、光センサを用いて、非接触状態にて被加熱物載置状態と被加熱物非載置状態とを検出するように構成する場合に比べて、誤検出を抑制することが可能となって、被加熱物載置状態と被加熱物非載置状態とを適切に検出することが可能となる。
【００３０】
ところで、このように、載置状態検出手段を前記上下可動部と前記検出部とを備えて構成すると、例えば、被加熱物としての鍋等からあふれた煮汁により上下可動部が前記載置状態検出位置に位置したままで固着してしまって、被加熱物載置状態連続検出異常が生じる場合がある。
そして、そのように上下可動部が前記載置状態検出位置に位置したままで固着してしまうと、被加熱物が載置部から上げられても、検出部により被加熱物載置状態が検出される状態が継続することとなり、そして、その検出部により被加熱物載置状態が継続して検出されている載置状態継続時間が前記載置状態継続異常判別用設定時間に達すると、異常対策処理が実行されるので、載置状態検出手段が異常な状態でのコンロの使用を回避することが可能となる。
従って、被加熱物載置状態と被加熱物非載置状態とを適切に検出することができながら、載置状態検出手段が異常な状態でのコンロの使用を回避するが可能となる。
【発明を実施するための最良の形態】
【００３１】
以下、図面に基づいて、本発明の実施の形態を説明する。
図１及び図２に示すように、ガスコンロは、３つのコンロバーナ１ａ，１ｂ，１ｃ、及び、グリルバーナ２を備えるグリル部３を備えたビルトインタイプのガスコンロにて構成されており、３つのコンロバーナ１ａ，１ｂ，１ｃは標準バーナ１ａと、小バーナ１ｂと、高火力バーナ１ｃとによって構成されている。
【００３２】
又、図１に示すように、グリル部３の燃焼排ガスを排気するためのグリル排気口４が形成され、ガラス製のトッププレート５にてガスコンロ上面が覆われており、このトッププレート５の上部に、標準バーナ１ａ、小バーナ１ｂ及び高火力バーナ１ｃの夫々に対応して、夫々にて加熱する被加熱物（鍋など）を載置する載置部としての五徳６が載置支持されている。
又、トッププレート５の裏面側に、標準バーナ１ａ、小バーナ１ｂ及び高火力バーナ１ｃ夫々の火力、並びに、グリルバーナ２の点消火状態を表示する天面表示部７０が、トッププレート５を通して視認可能なように設けられている。
【００３３】
又、図１及び図２に示すように、ガスコンロ前側面には、標準バーナ１ａ、小バーナ１ｂ及び高火力バーナ１ｃとグリルバーナ２との点火及び消火や火力調節と各種の設定とを指令する手動操作部Ｓが設けられ、マイクロコンピュータを備えて各種の制御を実行するように構成された燃焼制御部Ｈ（制御手段の一例）が、その手動操作部Ｓにて指令された運転状態に基づいて、標準バーナ１ａ、小バーナ１ｂ及び高火力バーナ１ｃとグリルバーナ２を制御するように構成されている。又、ガスコンロ前側面には自動復帰型の押し操作式の電源スイッチ４０も設けられている。
【００３４】
図２に示すように、標準バーナ１ａ、小バーナ１ｂ及び高火力バーナ１ｃの夫々には、点火プラグ７及び着火状態を検出する熱電対８が設けられており、グリルバーナ２は上面バーナ２ａと左右一対の下面バーナ２ｂ，２ｃとを備えた両面バーナにて構成されて、上面バーナ２ａ及び左右一対の下面バーナ２ｂ，２ｃの夫々にも点火プラグ７及び着火状態を検出するための熱電対８等が備えられている。
【００３５】
又、標準バーナ１ａ及び高火力バーナ１ｃの夫々には、図２及び図３に示すように（但し、図３では標準バーナ１ａについて示す）、五徳６に被加熱物が載置されている被加熱物載置状態と五徳６に被加熱物が載置されていない被加熱物非載置状態とを検出する載置状態検出手段としての載置状態検出部Ｄが設けられている。
この載置状態検出部Ｄは、五徳６に載置される被加熱物の底部が当接するのに伴って押し下げられて前記被加熱物載置状態を検出するための載置状態検出位置とその載置状態検出位置よりも上方であって前記被加熱物非載置状態を検出するための非載置状態検出位置とにわたって上下動自在で、且つ、前記非載置状態検出位置に復帰付勢される上下可動部９ｂを備えた伸縮機構９と、その上下可動部９ｂが前記載置状態検出位置に位置する状態を検出することにより前記被加熱物載置状態を検出し、且つ、上下可動部９ｂが前記非載置状態検出位置に位置する状態を検出することにより前記被加熱物非載置状態を検出する検出部としての被加熱物検出スイッチ１０を備えて構成されている。
【００３６】
前記伸縮機構９について、説明を加えると、この伸縮機構９は、図３に示すように、ケーシングに対して固定された案内支持部９ａに上下可動部９ｂをバネ（図示省略）にて上方に復帰付勢した状態で上下方向に移動自在に支持して構成されている。
【００３７】
そして、五徳６上に被加熱物が載置されていないときは、上下可動部９ｂが、復帰付勢力により、上端が五徳６における被加熱物を受け止める上端部よりも突出する状態の前記非載置状態検出位置に復帰する伸状態となり、五徳６上に被加熱物が載置されるに伴って、上下可動部９ｂが被加熱物の底部により押し下げられて前記載置状態検出位置に位置する縮状態となる。
【００３８】
前記被加熱物検出スイッチ１０は、伸縮機構９の上下可動部９ｂが五徳６上に載置された被加熱物により押し下げられて前記載置状態検出位置に位置するとオンし、五徳６上に載置された被加熱物が上げられて上下可動部９ｂが上方に復帰して前記非載置状態検出位置に位置するとオフになるように設けられている。
つまり、被加熱物検出スイッチ１０がオンの状態で、上下可動部９ｂが前記載置状態検出位置に位置する状態が検出されて前記被加熱物載置状態が検出され、被加熱物検出スイッチ１０がオフの状態で、上下可動部９ｂが前記非載置状態検出位置に位置する状態が検出されて前記被加熱物非載置状態が検出される構成となっている。
【００３９】
更に、図２に示すように、前記小バーナ１ｂにも、標準バーナ１ａ高火力バーナ１ｃ夫々と同様に、前記伸縮機構９が設けられている。
【００４０】
そして、標準バーナ１ａ、小バーナ１ｂ及び高火力バーナ１ｃの夫々に対応する伸縮機構９の上下可動部９ｂの上端部内には、温度センサ１１が設けられ、五徳６上に載置された被加熱物の底部が上下可動部９ｂの上端に当接した状態で、この温度センサ１１により被加熱物の温度を検出するように構成されている。又、図示を省略するが、グリル部３には、グリル庫内の温度を検出する温度センサが設けられている。
【００４１】
前記標準バーナ１ａ、小バーナ１ｂ及び高火力バーナ１ｃとグリルバーナ２とへのガス供給構成について説明すると、図２に示すように、元ガス供給路１２には元ガス電磁弁１３が設けられ、この元ガス供給路１２から、標準バーナ用分岐路１４ａ、小バーナ用分岐路１４ｂ、高火力バーナ用分岐路１４ｃ、グリルバーナ用分岐路１４ｄの４系統に分岐しており、グリルバーナ２へのグリルバーナ用分岐路１４ｄは、さらに、上面バーナ用の分岐路と下面バーナ用分岐路とに分岐してそれらの分岐路には夫々、オリフィスｏｆ付きの流路１５と開閉式電磁弁１６を備えたバイパス路１７が設けられている。そして、標準バーナ用分岐路１４ａ、小バーナ用分岐路１４ｂ、高火力バーナ用分岐路１４ｃ、及び、グリルバーナ用分岐路１４ｄの夫々には、ステッピングモータ１９（図４参照）の駆動によってガス量を調整して前記各バーナの燃焼量（火力）を調整する流量制御弁１８が備えられている。
【００４２】
この流量制御弁１８は、図４に示すように、駆動源としてのステッピングモータ１９と、このステッピングモータ１９の回転操作をスライド移動操作に変更させるネジ送り式の移動操作機構２０と、ガス通過用の挿通孔２１が形成されたスライド閉子２２と、複数のガス通過用の調整孔２３を形成した流量調整板２４等を備えて構成されている。そして、前記スライド閉子２２と流量調整板２４とによってガス量を変更可能な流量調整部２５が構成されている。つまり、図４に示すようにガス流路を遮蔽する状態でスライド閉子２２と流量調整板２４とがバネ２６によって圧接される状態で相対的にスライド自在に設けられ、ステッピングモータ１９を駆動することでスライド閉子２２をスライド移動させながら、図５に示すように、スライド閉子２２に形成された挿通孔２１が流量調整板２４の調整孔２３と重なり合う面積合計を変更させることで、バーナへのガス供給量を変更調整自在な構成となっている。尚、前記スライド閉子２２のスライド移動量はスライド移動検出センサ２７によって検出される構成となっている。
【００４３】
次に、前記手動操作部Ｓの構成について説明する。図１、図６及び図７に示すように、ガスコンロ前側面には、手動操作部Ｓとして、標準バーナ１ａ、小バーナ１ｂ及び高火力バーナ１ｃの夫々に対応して、バーナ１ａ，１ｂ，１ｃの点火指令を指令する点火指令状態とバーナ１ａ，１ｂ，１ｃの消火指令を指令する消火指令状態とに切り換え自在な点消火指令手段としての人為操作式の点消火指令部２８、バーナ１ａ，１ｂ，１ｃの燃焼量（火力）の調節を指令する人為操作式の燃焼量調節操作部２９、及び、調理の設定を指令する設定入力パネル５０が設けられ、並びに、グリルバーナ２に対して、点火及び消火や火力調整を指令するための設定入力パネル６０が設けられている。これら３つの点消火指令部２８及び３つの燃焼量調節操作部２９は同じ構成であるから、そのうちの標準バーナ１ａに対する加熱状態調節部２８を代表として構成を以下に説明し、他のものについては説明を省略する。又、設定入力パネル５０及び設定入力パネル６０は開閉式になっている。
【００４４】
図６及び図７に示すように、点火指令及び消火指令を指令する押し操作式の点消火スイッチ３２がガスコンロの前面パネル３８の内部に設けられ、前面パネル３８に形成した挿通孔３９を通して裏面側から挿通する状態で円筒状の回転操作部３１が設けられている。そして、この回転操作部３１は、その回転軸心方向の移動により、前記点消火スイッチ３２を消火指令を指令する消火指令状態に操作する消火指令用に押し込み位置と、その押し込み位置よりも突出して点消火スイッチ３２を点火指令を指令する点火指令状態に操作する点火指令用の突出位置とに切り換え自在に構成され、且つ、前記突出位置にて前記燃焼量を調整すべく回転操作自在に構成されている。
【００４５】
説明を加えると、回転操作部３１は、押し操作される毎に回転軸心方向に移動して、図示しない位置保持機構によって、前面パネル３８とほぼ面一になる押し込み位置と前方に突出する突出位置とに切り換え自在に構成され、回転操作部３１が前記突出位置に切り換えられているときに、正転方向及び逆転方向の夫々にその軸心周りで回動操作可能となる ように構成されている。そして、この回転操作部３１が押し込み位置に切り換えられるとそれに伴って点消火スイッチ３２がＯＦＦ（オフ）状態となり、回転操作部３１が突出位置に切り替えられるとそれに伴って点消火スイッチ３２がＯＮ（オン）状態となるように連動して切り換わる構成となっている。図２に示すように、この点消火スイッチ３２の切り換え信号は燃焼制御部Ｈに入力されており、燃焼制御部Ｈはこの点消火スイッチ３２がＯＮ状態に切り換わると標準バーナ１ａに対する点火作動を開始し、ＯＦＦ状態に切り換わると標準バーナ１ａの燃焼作動を停止するように構成されている。
つまり、前記回転操作部３１及び点消火スイッチ３２により、点消火指令部２８が構成されている。
【００４６】
又、前記前面パネル３８の内部には、回転操作部３１の回転操作に伴ってパルス信号を出力するパルス発生手段としてのロータリーエンコーダ３３が設けられている。つまり、このロータリーエンコーダ３３の操作軸３４に前記回転操作部３１が一体回動自在に且つ軸心方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成についての説明は省略する。
【００４７】
図８に示すように、前記前面パネル３８の外面側において前記各回転操作部３１の周囲には火力を表示する複数のＬＥＤランプ３５を並べる状態で火力を表示する前面火力表示部３６が設けられている。この前面火力表示部３６は複数のＬＥＤランプ３５をレベルメータとして用いて、回転操作部３１にて設定された燃焼量（火力）の大きさを燃焼量の大きさに応じた数のＬＥＤランプ３５を点灯させて表示する構成となっている。この実施形態では、火力の大きさが最小火力から最大火力まで、標準バーナ１ａ及び高火力バーナ１ｃでは５段階に変更調整でき、小バーナ１ｃでは３段階に変更調整できる構成となっているので、標準バーナ１ａ及び高火力バーナ１ｃの夫々に対応する前面火力表示部３６は、５個のＬＥＤランプ３５にて構成され、小バーナ１ｃに対応する前面火力表示部３６は、３個のＬＥＤランプ３５にて構成されている。
【００４８】
つまり、標準バーナ１ａ及び高火力バーナ１ｃの夫々は、その燃焼量を５段階の設定燃焼量に調節できるように構成され、又、小バーナ１ｃは、その燃焼量を３段階の設定燃焼量に調節できるように構成されている。
【００４９】
図１及び図９に示すように、前記天面表示部７０は、標準バーナ１ａ、小バーナ１ｂ及び高火力バーナ１ｃ夫々に対応する３個の天面火力表示部７１と、グリルバーナ２に対応するグリル燃焼表示部７３とから構成されている。
前記天面火力表示部７１は、前面火力表示部３６と同構成であり、複数のＬＥＤランプ７２をレベルメータとして用いて回転操作部３１にて設定された燃焼量（火力）の大きさを燃焼量の大きさに応じた数のＬＥＤランプ７２を点灯させて表示する構成となっている。又、前記グリル燃焼表示部７３は、１個のＬＥＤランプ７４から構成され、グリルバーナ２を点火させるとその燃焼状態をＬＥＤランプ７４を点灯させて表示する構成となっている。
【００５０】
そして、燃焼制御部Ｈは、図２に示すように、標準バーナ１ａ、小バーナ１ｂ及び高火力バーナ１ｃ夫々に対応するロータリーエンコーダ３３にて発生するパルス信号に基づいて、標準バーナ１ａ、小バーナ１ｂ及び高火力バーナ１ｃ夫々に対する燃料供給量を調整するように標準バーナ１ａ、小バーナ１ｂ及び高火力バーナ１ｃ夫々に対する流量制御弁１８の作動を制御するよう構成されている。つまり、燃焼制御部Ｈは、ロータリーエンコーダ３３から出力される前記パルス信号に基づいて、回転操作部３１の回転操作方向並びに回転操作量を判別するとともに、その判別した回転操作方向並びに回転操作量に対応させて標準バーナ１ａ等の燃焼量を調整することになるが、そのとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００５１】
つまり、前記回転操作部３１及びロータリーエンコーダ３３により、前記燃焼量調節操作部２９が構成されている。
【００５２】
又、図２に示すように、燃焼制御部Ｈは、標準バーナ１ａ、小バーナ１ｂ及び高火力バーナ１ｃ夫々に対応するロータリーエンコーダ３３にて発生するパルス信号に基づいて、標準バーナ１ａ、小バーナ１ｂ及び高火力バーナ１ｃ夫々の火力を標準バーナ１ａ、小バーナ１ｂ及び高火力バーナ１ｃ夫々に対応する前面火力表示部３６及び天面火力表示部７１にて表示するように構成されている。
つまり、燃焼制御部Ｈは、前面火力表示部３６及び天面火力表示部７１を同様に制御するように構成され、例えば、標準バーナ１ａに対応するロータリーエンコーダ３３にて発生するパルス信号が火力３に対応する場合は、前面火力表示部３６を構成するＬＥＤランプ３５を３個点灯させ、且つ、天面表示部７１を構成するＬＥＤランプ７２を３個点灯させる。
【００５３】
又、図２に示すように、このガスコンロには各種情報を音声にて報知する報知手段としてのスピーカ３７が備えられており、燃焼制御部Ｈは、各種情報をこのスピーカ３７により報知させるように構成されている。
【００５４】
次に、図１０に基づいて、電源手段としての電源４１からの電力を前記燃焼制御部Ｈに供給するための構成について説明する。
前記電源スイッチ４０がオンされると電源４１からの電力を前記燃焼制御部Ｈに供給する電源制御部４２が設けられている。
そして、燃焼制御部Ｈは、電源４１から電力が供給される状態で、前記手動操作部Ｓにて指令された各種制御指令に基づいて、前記元ガス弁１２、流量制御弁１８及び点火プラグ７等の夫々に駆動信号を与えて夫々の作動を制御するように構成されている。
【００５５】
更に、燃焼制御部Ｈは、電源スイッチ４０がオフされたときに、電源制御部４２に電源保持信号ＯＦＦの指令を与えて、自己への電力の供給を停止させるように電源制御部４２を作動させる状態と、電源制御部４２に電源保持信号ＯＮの指令を与えて、自己への電力の供給を継続させるように電源制御部４２を作動させる状態とに切り換え可能なように構成されている。
【００５６】
次に、前記燃焼制御部Ｈの制御構成について説明を加える。
尚、本発明に係る制御は、前記標準バーナ１ａ及び前記高火力バーナ１ｃを対象にして実行するので、前記小バーナ１ｂ及び前記グリルバーナ２を対象にした燃焼制御部Ｈの制御動作の説明は省略する。
又、標準バーナ１ａ及び高火力バーナ１ｃ夫々を対象にした燃焼制御部Ｈの制御動作は同様であるので、以下では、標準バーナ１ａを対象にした制御動作について説明して、高火力バーナ１ｃを対象にした制御動作の説明は省略する。
又、前記元ガス電磁弁１３は、標準バーナ１ａ、小バーナ１ｂ、高火力バーナ１ｃ及びグリルバーナ２のうちの少なくとも一つに対応する点消火スイッチ３２がＯＮ状態のときは開弁し、標準バーナ１ａ、小バーナ１ｂ、高火力バーナ１ｃ及びグリルバーナ２夫々に対応する点消火スイッチ３２の全てがＯＦＦ状態のときは、閉弁状態に維持するので、以下の説明では、この元ガス電磁弁１３の制御については説明を省略する。
【００５７】
詳細は後述するが、前記燃焼制御部Ｈは、載置状態検出部Ｄにより前記被加熱物載置状態が継続して検出されている載置状態継続時間Ｔ１（以下、単に載置状態継続時間Ｔ１と記載する場合がある）を計測し、その載置状態継続時間Ｔ１が載置状態継続異常判別用設定時間Ｔｓ１が達するまでの間は、点消火指令部２８から点火指令が指令されたときに、載置状態検出部Ｄにより前記被加熱物載置状態が検出されていると、標準バーナ１ａを点火させて燃焼させる通常燃焼制御を実行し、載置状態継続時間Ｔ１が載置状態継続異常判別用設定時間Ｔｓ１に達すると異常対策処理を実行するように構成されている。
【００５８】
又、前記燃焼制御部Ｈは、前記載置状態検出部Ｄの検出情報に基づいて、前記被加熱物非載置状態では標準バーナ１ａの燃焼を停止させる又は燃焼量を低下させる燃焼抑制処理を実行するように構成されている。
【００５９】
以下、図１１ないし図１４に示すフローチャートに基づいて、前記燃焼制御部Ｈの制御動作を説明する。
先ず、図１１及び図１２に基づいて、メインの制御動作について説明する。
電源スイッチ４０がオンされて、電源４１から電力が供給されると（ステップ＃１）、燃焼制御部Ｈは、被加熱物検出スイッチ１０がＯＮ状態か否かを判別して（ステップ＃２）、ＯＮ状態のときは、載置状態継続時間Ｔ１の計測を開始してから（ステップ＃４）、ＯＦＦ状態のときは載置状態継続時間Ｔ１をリセットしてから（ステップ＃３）、被加熱物検出スイッチ１０がＯＮ状態か否かを判別する（ステップ＃５）。
【００６０】
燃焼制御部Ｈは、ステップ＃５で被加熱物検出スイッチ１０がＯＮ状態と判別し、ステップ＃６で電源スイッチ４０がＯＮ状態と判別し、ステップ＃７で、点消火スイッチ３２がＯＦＦ状態と判別している間は、載置状態継続時間Ｔ１の計測を継続し、ステップ＃６で電源スイッチ４０がＯＦＦ状態のときは、ステップ＃１９に移り、前面パネル３８の電源ランプ（図示省略）を消灯させて、ステップ＃２０で被加熱物検出スイッチ１０がＯＮ状態のときは、電源制御部４２に電源保持信号ＯＮの指令を与えて、自己への電力の供給を継続させて、電源スイッチ４０がＯＦＦ状態の間も、被加熱物検出スイッチ１０がＯＮ状態であると（ステップ＃２１，２２）、載置状態継続時間Ｔ１の計測を継続する。
【００６１】
燃焼制御部Ｈは、ステップ＃２２で電源スイッチ４０がＯＮ状態になると、ステップ＃７に戻り、ステップ＃７で、点消火スイッチ３２がＯＮ状態か否かを判別し、点消火スイッチ３２がＯＦＦ状態のときはステップ＃５に戻り、ステップ＃７で点消火スイッチ３２がＯＮ状態のときは、ステップ＃８で被加熱物検出スイッチ１０がＯＮ状態か否かを判別する。
ステップ＃８で被加熱物検出スイッチ１０がＯＦＦ状態のときは、後述する消火中被加熱物無し制御を実行し（ステップ＃４０）、ステップ＃８で被加熱物検出スイッチ１０がＯＮ状態のときは、ステップ＃９で、載置状態継続時間Ｔ１が載置状態継続異常判別用設定時間Ｔｓ１に達したか否かを判別し、達していないときは、後述する通常時燃焼制御を実行する（ステップ＃５０）。ちなみに、前記載置状態継続異常判別用設定時間Ｔｓ１は、例えば９６時間に設定する。
【００６２】
つまり、前記燃焼制御部Ｈは、電源スイッチ４０がＯＦＦ状態のときも、被加熱物検出スイッチ１０がＯＮ状態のときは、電源制御部４２に電源保持信号ＯＮの指令を与えて、自己への電力の供給を継続させて、前記載置状態継続時間Ｔ１の計測を継続するように構成されている。
【００６３】
燃焼制御部Ｈは、ステップ＃５で、被加熱物検出スイッチ１０がＯＦＦ状態と判別すると、載置状態継続時間Ｔ１をリセットし（ステップ＃２３）、ステップ＃２４で、電源スイッチ４０がＯＮ状態のときはステップ＃７に移り、電源スイッチ４０がＯＦＦ状態のときは、電源制御部４２に電源保持信号ＯＦＦの指令を与えて、自己への電力の供給を停止させて（ステップ＃２５）、終了する。
又、燃焼制御部Ｈは、ステップ＃２０で、被加熱物検出スイッチ１０がＯＦＦ状態と判別すると、載置状態継続時間Ｔ１及び後述する案内情報報知後経過時間Ｔ２をリセットし、電源制御部４２に電源保持信号ＯＦＦの指令を与えて、自己への電力の供給を停止させて（ステップ＃２６，２７）、終了する
【００６４】
燃焼制御部Ｈは、ステップ＃９で、載置状態継続時間Ｔ１が載置状態継続異常判別用設定時間Ｔｓ１に達したと判別すると、点消火スイッチ３２がＯＮ状態に切り換えられても標準バーナ１ａを点火させずに消火状態に維持する消火状態維持処理を実行し、且つ、報知手段としてのスピーカ３７に「鍋を上げてください」等の五徳６から被加熱物を上げることを促す案内情報を報知させて、その案内情報報知後の経過時間である前記案内情報報知後経過時間Ｔ２の計測を開始し、標準バーナ１ａに対応する前面火力表示部３６及び天面火力表示部７１を同様に点滅させる（ステップ＃１０〜１３）。
【００６５】
続いて、燃焼制御部Ｈは、前記案内情報報知後経過時間Ｔ２が前記再判別用設定時間Ｔｓ２に達するまでに、被加熱物検出スイッチ１０がＯＮ状態からＯＦＦ状態になると（ステップ＃１４，１５）、前記載置状態継続時間Ｔ１及び前記案内情報報知後経過時間Ｔ２をリセットし、前面火力表示部３６及び天面火力表示部７１を消灯させ、スピーカ３７に、「センサーは正常です」等の載置状態検出部Ｄが正常であることを示す情報を報知させて（ステップ＃２８〜３０）、ステップ＃５に移る。ちなみに、前記再判別用設定時間Ｔｓ２は、例えば５分間に設定する。
【００６６】
そして、ステップ＃５に移って、ステップ＃５〜８にて、被加熱物検出スイッチ１０がＯＮ状態、電源スイッチ４０がＯＮ状態、点消火スイッチ３２がＯＮ状態、被加熱物検出スイッチ１０がＯＮ状態であり、ステップ＃９で、載置状態継続時間Ｔ１が載置状態継続異常判別用設定時間Ｔｓ１に達していないと判別されると、後述する通常時燃焼制御が実行されて、標準バーナ１ａが点火されることになる。
【００６７】
又、燃焼制御部Ｈは、前記案内情報報知後経過時間Ｔ２が前記再判別用設定時間Ｔｓ２に達しても、被加熱物検出スイッチ１０のＯＮ状態が継続している場合は（ステップ＃１４，１５）、点消火スイッチ３２がＯＮ状態に切り換えられても標準バーナ１ａを点火させずに消火状態に維持する消火状態維持処理を実行し、スピーカ３７に、「故障が発生しました」等の異常情報を報知させ、並びに、標準バーナ１ａに対応する前面火力表示部３６及び天面火力表示部７１を同様に点滅させて、異常が発生したことを報知する（ステップ＃１６〜１８）。
続いて、ステップ＃１９で、前記電源ランプを消灯させて、被加熱物検出スイッチ１０がＯＮ状態の間は、電源スイッチ４０がＯＦＦ状態でも、電源制御部４２に電源保持信号ＯＮの指令を与えて自己への電力の供給を継続させて、載置状態継続時間Ｔ１の計測を継続し（ステップ＃２０〜２２）、被加熱物検出スイッチ１０がＯＦＦ状態になると（ステップ＃２０）、ステップ＃２６，２７を実行して、載置状態継続時間Ｔ１及び案内情報報知後経過時間Ｔ２をリセットし、電源制御部４２に電源保持信号ＯＦＦの指令を与えて、自己への電力の供給を停止させて、終了する。
又、ステップ＃２２で電源スイッチ４０がＯＮ状態になると、ステップ＃７に戻るが、前記案内情報報知後経過時間Ｔ２は前記再判別用設定時間Ｔｓ２を越えているので、以降の制御で標準バーナ１ａが点火されることはない。
【００６８】
つまり、図１１及び図１２に示すフローチャートにおいて、ステップ＃７で点消火スイッチ３２がＯＮ状態であり且つステップ＃８で被加熱物検出スイッチ１０がＯＮ状態であり且つステップ＃９で前記載置状態継続時間Ｔ１が前記載置状態継続異常判別用設定時間Ｔｓ１に達すると、前記異常対策処理として、ステップ＃１０〜１５の一連の処理にて構成される異常判別処理が実行される構成となっている。
【００６９】
つまり、燃焼制御部Ｈは、前記異常対策処理としての前記異常判別処理を、前記載置状態継続時間Ｔ１が前記載置状態継続異常判別用設定時間Ｔｓ１に達し、且つ、点消火指令部２８により標準バーナ１ａの点火指令が指令されたときに実行するように構成されている。
【００７０】
又、燃焼制御部Ｈは、前記異常対策処理として、前記載置状態継続時間Ｔ１が前記載置状態継続異常判別用設定時間Ｔｓ１に達すると、前記スピーカ３７に五徳６から被加熱物を上げることを促す案内情報を報知させて、その案内情報報知後の経過時間Ｔ２が再判別用設定時間Ｔｓ２に達するまでに載置状態検出部Ｄが前記被加熱物非載置状態を検出すると正常であると判別し且つ前記経過時間Ｔ２が前記再判別用設定時間Ｔｓ２に達しても載置状態検出部Ｄが前記被加熱物載置状態を検出する状態が継続している場合は異常であると判別する異常判別処理を実行するように構成されている。
【００７１】
そして、燃焼制御部Ｈは、前記異常判別処理にて正常であると判別すると、スピーカ３７に載置状態検出部が正常であることを示す情報を報知させ（前記ステップ＃３０）、前記異常判別処理にて異常であると判別すると、再異常対策処理を実行するように構成されている。
そして、燃焼制御部Ｈは、前記再異常対策処理として、点消火指令部２８により標準バーナ１ａの点火指令が指令されても、標準バーナ１ａを消火状態に維持する消火状態維持処理を実行するように構成されている。
つまり、前記再異常対策処理が、ステップ＃１６〜１８の一連の処理にて構成される。
【００７２】
又、燃焼制御部Ｈは、被加熱物検出スイッチ１０がＯＮ状態の間、即ち、載置状態検出部Ｄにより前記被加熱物載置状態が継続して検出されている間は、電源スイッチ４０がＯＦＦ状態に切り換えられても、電源制御部４２に電源保持信号ＯＮの指令を与えることにより自己への電力の供給を継続させて、載置状態継続時間Ｔ１の計測を継続するように構成されている。
又、燃焼制御部Ｈは、被加熱物検出スイッチ１０がＯＦＦ状態になると、即ち、載置状態検出部Ｄにより前記被加熱物非載置状態が検出されると、次に電源スイッチ４０がオンからオフに切り換えられると、電源制御部４２に電源保持信号ＯＦＦの指令を与えて、自己への電力の供給を停止させるように構成されている。
つまり、燃焼制御部Ｈは、電源スイッチがオンからオフに切り換えられたときに、載置状態検出部Ｄが前記被加熱物載置状態を検出している場合には、燃焼制御部Ｈにその作動用の電力を供給する電源４１からの電力供給を継続させ、且つ、載置状態検出部Ｄが前記被加熱物非載置状態を検出している場合には、電源４１からの電力供給を停止させるように構成されている。
【００７３】
次に、図１３に基づいて、前記消火中被加熱物無し時制御について、説明を加える。
燃焼制御部Ｈは、点消火スイッチ３２がＯＦＦ状態からＯＮ状態に切り換えられたときに、被加熱物検出スイッチ１０がＯＦＦ状態の場合は（ステップ＃７，８）、点消火スイッチ３２がＯＮ状態であることによる点火指令を無効にして、標準バーナ１ａの消火状態を維持し、スピーカ３７により、五徳６に被加熱物を載置することを促す案内情報（例えば、「鍋を置いて下さい」の如き案内情報）を報知させ、標準バーナ１ａに対応する前面火力表示部３６及び天面火力表示部７１を同様に点滅させて（ステップ＃４１〜４３）、図１１に示すメインのフローチャートのステップ＃７に戻って、再び、点消火スイッチ３２がＯＮ状態か否かを判別する。
【００７４】
つまり、上述のように、標準バーナ１ａの消火中に点消火スイッチ３２がＯＦＦ状態からＯＮ状態に切り換えられたときに、被加熱物検出スイッチ１０がＯＦＦ状態の場合は、点火処理を実行せずに標準バーナ１ａを消火状態に維持する処理は、前記燃焼抑制処理に相当する。
【００７５】
次に、図１４に基づいて、前記通常時燃焼制御について、説明を加える。
燃焼制御部Ｈは、前記通常時燃焼制御では、先ず、流量制御弁１８を開弁させ、点火プラグ７に駆動信号を与えて点火作動させることにより、標準バーナ１ａを点火させる点火処理を行い（ステップ＃５１）、点消火スイッチ３２がＯＮ状態で且つ被加熱物検出スイッチ１０がＯＮ状態の間は、ロータリーエンコーダ３３から出力される前記パルス信号に応じた段階の火力に対応する燃焼量になるように流量制御弁１８の開度を調節することにより、燃焼量調節処理を行いながら標準バーナ１ａの燃焼を継続させる（ステップ＃５２〜５４）。
【００７６】
又、燃焼制御部Ｈは、上述のように、標準バーナ１ａを燃焼させている間に、点消火スイッチ３２がＯＮ状態からＯＦＦ状態に切り換えられると（ステップ＃５２）、消火処理を実行して（ステップ＃５９）、図１１に示すメインのフローチャートのステップ＃７に戻って、再び、点消火スイッチ３２がＯＮ状態か否かを判別する。
【００７７】
更に、燃焼制御部Ｈは、上述のように、標準バーナ１ａを燃焼させている間に、被加熱物検出スイッチ１０がＯＦＦ状態になると（ステップ＃５３）、直ちに、標準バーナ１ａの燃焼量を前記５段階の火力のうちの最下段の火力１よりも１段上の火力２に対応する不存在時燃焼量に低下させるように流量制御弁１８の開度を調節し、標準バーナ１ａに対応する前面火力表示部３６及び天面火力表示部７１を同様に点滅させることにより、五徳６に被加熱物が載置されていない状態で標準バーナ１ａが燃焼しているという異常状態であることを報知する（ステップ＃５５，５６）。
【００７８】
つまり、標準バーナ１ａの燃焼中に被加熱物検出スイッチ１０がＯＦＦ状態になると、直ちに標準バーナ１ａの燃焼量を不存在時燃焼量に低下させる処理は、前記燃焼抑制処理に相当する。
【００７９】
続いて、燃焼制御部Ｈは、標準バーナ１ａの燃焼中に被加熱物検出スイッチ１０がＯＦＦ状態になった後の経過時間Ｔ３が不存在判別用設定時間Ｔｓ３に達するまでは、被加熱物検出スイッチ１０のＯＦＦ状態が継続し且つ点消火スイッチ３２のＯＮ状態が継続している間は、標準バーナ１ａの燃焼量を前記不存在時燃焼量に低下させている状態を継続し（ステップ＃５２，５３，５５〜５７）、その間において、被加熱物検出スイッチ１０がＯＮ状態になると（ステップ＃５３）、ロータリーエンコーダ３３から出力される前記パルス信号に応じた段階の火力に対応する燃焼量になるように流量制御弁１８の開度を調節することにより、燃焼量調節処理を行った後（ステップ＃５４）、ステップ＃５２に戻って、そのステップ＃５２以降の処理を実行する。
【００８０】
又、燃焼制御部Ｈは、前記経過時間Ｔ３が不存在判別用設定時間Ｔｓ３に達しても、被加熱物検出スイッチ１０のＯＦＦ状態が継続している場合は（ステップ＃５７）、点消火スイッチ３２がＯＮ状態であることによる点火指令を無効にして、消火処理を実行して（ステップ＃５８，５９）、図１１に示すメインのフローチャートのステップ＃７に戻って、再び、点消火スイッチ３２がＯＮ状態か否かを判別する。
ちなみに、前記不存在判別用設定時間Ｔｓ３は、例えば６０秒に設定する
【００８１】
〔別実施形態〕
次に別実施形態を説明する。
（イ）  前記異常対策処理の具体的な形態は、上記の実施形態において例示した形態に限定されるものではない。
例えば、点消火指令部２８から点火指令が指令されても、バーナ１ａ，１ｃを点火させずに消火状態に維持する消火維持処理を実行する形態や、報知手段によりコンロの使用を停止することを促す情報を報知させるコンロ停止情報報知処理を実行する形態を採用することが可能である。
【００８２】
（ロ）  上記の実施形態においては、燃焼制御部Ｈを、電源スイッチ４０がＯＦＦ状態のときも、載置状態検出部Ｄの計測情報を監視して、被加熱物載置状態を検出しているときは、前記載置状態継続時間Ｔ１の計測を継続するように構成する場合について例示したが、電源スイッチ４０がＯＦＦ状態のときは前記載置状態継続時間Ｔ１の計測を中断して、電源スイッチ４０がＯＮ状態のときに前記載置状態継続時間Ｔ１の計測を行うように構成しても良い。
その場合、前記載置状態継続時間Ｔ１の記憶用等のために前記燃焼制御部Ｈに備えさせるメモリが揮発性のメモリのときは、電源スイッチ４０がＯＦＦ状態のときも前記載置状態継続時間Ｔ１を記憶し続けるために、前記燃焼制御部Ｈを、電源制御部４２に電源保持信号ＯＮの指令を与えて自己への電力の供給を継続させるよう構成する。
【００８３】
（ハ）  前記燃焼制御部Ｈに不揮発性のメモリを備えさせても良い。
この場合、燃焼制御部Ｈは、電源スイッチ４０がＯＦＦ状態に切り換えられると電源制御部４２に電源保持信号ＯＦＦの指令を与えて、自己への電力の供給を停止させると共に、載置状態継続時間Ｔ１の計測を中断し、次に、電源スイッチ４０がＯＮ状態に切り換えられたときに、載置状態検出部Ｄにより前記被加熱物載置状態が検出されていると、メモリに記憶している時間に加算する状態で載置状態継続時間Ｔ１の計測を再開するように構成する。
【００８４】
（ニ）  前記載置状態検出部Ｄを、上記の実施形態の如き上下可動部９ｂと検出部とを備えて構成する場合、検出部は、被加熱物検出スイッチ１０に限定されるものではない。
例えば、前記上下可動部９ｂの両横側方に振り分けて配置した磁石とリードスイッチ、及び、前記上下可動部９ｂが押し下げられると前記磁石と前記リードスイッチとの間に位置し且つ前記上下可動部９ｂが上方に復帰すると前記磁石と前記リードスイッチとの間から退出するように前記上下可動部９ｂに取り付けた磁性体にて構成することが可能である。
【００８５】
又、前記載置状態検出部Ｄの具体構成は、上記の実施形態の如き上下可動部９ｂと検出部とを備えて構成する場合に限定されるものではない。例えば、載置部上の被加熱物の有無により投射光が反射されるか否かにより被加熱物載置状態か被加熱物非載置状態かを検出するように構成された反射型の光センサ、あるいは、載置部上の被加熱物の有無により投射光が遮蔽されるか否かにより被加熱物載置状態か被加熱物非載置状態かを検出するように構成されたフォトインタラプタ型の光センサにて構成することが可能である。
【００８６】
（ホ）  前記報知手段の具体構成としては、上記の実施形態において例示したスピーカ３７に限定されるものではない。
例えば、前記案内情報を表示する表示装置や、ブザー、ランプ等にて構成することが可能である。又、スピーカ３７、表示装置、ブザー及びランプのうちの複数を用いて構成しても良い。
【図面の簡単な説明】
【００８７】
【図１】コンロの斜視図
【図２】コンロの制御構成を示すブロック図
【図３】コンロのバーナ付近の縦断面図
【図４】流量制御弁の構成を示す図
【図５】流量制御弁の要部を示す図
【図６】点消火指令部及び燃焼量調節操作部の構成を示す図
【図７】点消火指令部及び燃焼量調節操作部の操作状態を説明する図
【図８】前面火力表示部を示す図
【図９】天面表示部を示す図
【図１０】燃焼制御部への作動用電力の供給構成を示す図
【図１１】制御動作のフローチャートを示す図
【図１２】制御動作のフローチャートを示す図
【図１３】制御動作のフローチャートを示す図
【図１４】制御動作のフローチャートを示す図
【符号の説明】
【００８８】
１ａ，１ｃ  バーナ
６          載置部
９ｂ        上下可動部
１０        検出部
２８        点消火指令手段
３７        報知手段
４０        電源スイッチ
４１        電源手段
Ｄ          載置状態検出手段
Ｈ          制御手段
【図１】
2006097976.tif 000003
【図２】
2006097976.tif 000004
【図３】
2006097976.tif 000005
【図４】
2006097976.tif 000006
【図５】
2006097976.tif 000007
【図６】
2006097976.tif 000008
【図７】
2006097976.tif 000009
【図８】
2006097976.tif 000010
【図９】
2006097976.tif 000011
【図１０】
2006097976.tif 000012
【図１１】
2006097976.tif 000013
【図１２】
2006097976.tif 000014
【図１３】
2006097976.tif 000015
【図１４】
2006097976.tif 000016